(57)【要約】【課題】画像形成装置の起動の要因に応じて初期画面を表示させる。【解決手段】画像形成装置１は、画像形成に関する複数の機能（コピー機能、スキャナ機能等）を有し、これらの機能に対応する画面（コピー画面３１１、スキャン画面３１２等）を表示部３１に表示させる。記憶部１２０には、システム起動の起動要因と初期画面とが対応付けられて記憶されており、起動要因入力部から起動要因が入力されると、制御部１１０は起動要因判別制御処理によって、起動要因を判別し、要因別初期画面表示制御処理によって、起動要因に応じた初期画面をシステム起動時に表示部３１に表示させる。【選択図】図７
2010157967.tif 000002
【特許請求の範囲】
【請求項１】
画像形成に関する複数の機能を有する画像形成装置であって、
前記機能に対応する画面を表示する表示部と、
前記画像形成装置の起動時に前記表示部に表示すべき初期画面と前記画像形成装置の起動要因情報とを対応付けて記憶する記憶部と、
前記起動要因情報を取得する情報取得部と、
前記画像形成装置の停止時に前記情報取得部から起動要因情報が入力されると前記画像生成装置を起動させ、当該起動要因情報と前記記憶部に記憶された起動要因情報とを比較することにより前記表示部に表示すべき初期画面を決定し、当該決定された初期画面を前記表示部に表示させる制御部と、
を備えることを特徴とする画像形成装置。
【請求項２】
前記起動要因情報は、前記画像形成装置の電源スイッチのオン／オフ信号であって、
前記制御部は、前記電源スイッチからスイッチオンの信号が入力されると、初期画面としてコピー画面を前記表示部に表示させることを特徴とする請求項１に記載の画像形成装置。
【請求項３】
前記画像形成装置は、外部端末又はタンデムマスタ機とデータ送受信可能に接続され、
前記起動要因情報は、前記外部端末又は前記タンデムマスタ機から送信されたプリントデータを受信した旨の受信通知情報であって、
前記制御部は、前記受信通知情報が入力されると、初期画面としてジョブリスト画面を前記表示部に表示させることを特徴とする請求項１に記載の画像形成装置。
【請求項４】
前記起動要因情報は、原稿の載置を検知する紙検知センサの検知信号であって、
前記制御部は、前記検知信号が入力されると、初期画面としてコピー画面を前記表示部に表示させることを特徴とする請求項１に記載の画像形成装置。
【請求項５】
前記起動要因情報は、前記画像形成装置に対して各種指示入力を行うためのタッチパネルに対する外部からのタッチ検出信号であって、
前記制御部は、前記タッチ検出信号が入力されると、初期画面としてコピー画面を前記表示部に表示させることを特徴とする請求項１に記載の画像形成装置。
【請求項６】
前記起動要因情報は、前記画像形成装置に対して各種指示入力を行うための操作ボタンが選択された旨の信号であって、
前記制御部は、前記信号が入力されると、初期画面として当該入力に対応する機能の画面を前記表示部に表示させることを特徴とする請求項１に記載の画像形成装置。
【請求項７】
前記起動要因情報は、前記画像形成装置の再起動を指示するオートリセットの指示であって、
前記制御部は、前記オートリセットの指示が入力されると、初期画面としてコピー画面を前記表示部に表示させることを特徴とする請求項１に記載の画像形成装置。
【請求項８】
画像形成に関する複数の機能を有し、前記機能に対応する画面を表示する表示部と、  起動時に前記表示部に表示すべき初期画面と起動要因情報とを対応付けて記憶する記憶部と、制御部と、を備える画像形成装置の起動時の初期画面を表示する方法であって、
前記制御部によって、前記画像形成装置の停止時に起動要因情報が入力されると前記画像形成装置を起動させ、当該起動要因情報と前記記憶部に記憶された起動要因情報とを比較することにより前記表示部に表示すべき初期画面を決定し、当該決定された初期画面を前記表示部に表示させる工程を有することを特徴とする初期画面表示方法。
【発明の詳細な説明】
【技術分野】
【０００１】
本発明は、画像形成装置、及び初期画面表示方法に関する。
【背景技術】
【０００２】
近年、コピー機能、スキャン機能、プリント機能等を有する複合型の画像形成装置が開発されている。この画像形成装置には、操作パネルが供えられており、ユーザは、操作パネルを介して各種指示入力を行う。
【０００３】
操作パネルには、画像形成装置において現在実行中のジョブの進行状況や、画像形成装置を構成する各部品の状態等の各種情報を表示させることもできる。これらの画面の表示切替は、操作パネルからのユーザ入力によって行われる。
また、画像形成装置に電源が投入され、画像形成装置が起動されると、操作パネルには初期画面が表示される。ユーザの初期操作性を高めるために、画像形成装置の起動時に表示すべき初期画面を決定する技術が種々考案されている。
【０００４】
特許文献１には、予め設定された各種機能に対応する操作画面や使用頻度に応じた操作画面を画像形成装置の表示部に初期画面として表示させる技術が記載されている。
特許文献２には、電源投入時等に動作する機能を特定するための設定値をメモリに設定し、この設定値によって特定される機能に対応する初期画面を表示部に表示させる技術が記載されている。
【先行技術文献】
【特許文献】
【０００５】
【特許文献１】特開２００７−１２４０６８号公報
【特許文献２】特開２００７−２６７２５４号公報
【発明の概要】
【発明が解決しようとする課題】
【０００６】
しかしながら、特許文献１に記載の技術では、予め設定された各種機能に対応する操作画面又は使用頻度に応じた操作画面を画像形成装置の起動時の初期画面として表示させることはできるが、画像形成装置の起動の要因に応じて初期画面を表示させているわけではなく、ユーザの初期操作性を高めることができない。例えば、画像形成装置がパワーセーブモードの状態において、スキャナ機能を使用するためのボタンが押下されることにより起動したにも関わらず、初期画面としてコピー機能に対応する画面が表示された場合、スキャナ機能に対応する画面にいちいち画面遷移しなければならない。
【０００７】
特許文献２に記載の技術も同様であり、予め指定された設定値に基づいて初期画面を表示させても、画像形成装置の起動の要因に応じて初期画面を表示させているわけではないので、ユーザの初期操作性を高めることができない。
【０００８】
本発明は上記課題に鑑みてされたものであり、その目的とするところは、画像形成装置の起動の要因に応じて初期画面を表示させることである。
【課題を解決するための手段】
【０００９】
上記課題を解決するために、請求項１に記載の発明は、
画像形成に関する複数の機能を有する画像形成装置であって、
前記機能に対応する画面を表示する表示部と、
前記画像形成装置の起動時に前記表示部に表示すべき初期画面と前記画像形成装置の起動要因情報とを対応付けて記憶する記憶部と、
前記起動要因情報を取得する情報取得部と、
前記画像形成装置の停止時に前記情報取得部から起動要因情報が入力されると前記画像生成装置を起動させ、当該起動要因情報と前記記憶部に記憶された起動要因情報とを比較することにより前記表示部に表示すべき初期画面を決定し、当該決定された初期画面を前記表示部に表示させる制御部と、
を備えることを特徴とする。
【００１０】
請求項２に記載の発明は、請求項１に記載の発明において、
前記起動要因情報は、前記画像形成装置の電源スイッチのオン／オフ信号であって、
前記制御部は、前記電源スイッチからスイッチオンの信号が入力されると、初期画面としてコピー画面を前記表示部に表示させることを特徴とする。
【００１１】
請求項３に記載の発明は、請求項１に記載の発明において、
前記画像形成装置は、外部端末又はタンデムマスタ機とデータ送受信可能に接続され、
前記起動要因情報は、前記外部端末又は前記タンデムマスタ機から送信されたプリントデータを受信した旨の受信通知情報であって、
前記制御部は、前記受信通知情報が入力されると、初期画面としてジョブリスト画面を前記表示部に表示させることを特徴とする。
【００１２】
請求項４に記載の発明は、請求項１に記載の発明において、
前記起動要因情報は、原稿の載置を検知する紙検知センサの検知信号であって、
前記制御部は、前記検知信号が入力されると、初期画面としてコピー画面を前記表示部に表示させることを特徴とする。
【００１３】
請求項５に記載の発明は、請求項１に記載の発明において、
前記起動要因情報は、前記画像形成装置に対して各種指示入力を行うためのタッチパネルに対する外部からのタッチ検出信号であって、
前記制御部は、前記タッチ検出信号が入力されると、初期画面としてコピー画面を前記表示部に表示させることを特徴とする。
【００１４】
請求項６に記載の発明は、請求項１に記載の発明において、
前記起動要因情報は、前記画像形成装置に対して各種指示入力を行うための操作ボタンが選択された旨の信号であって、
前記制御部は、前記信号が入力されると、初期画面として当該入力に対応する機能の画面を前記表示部に表示させることを特徴とする。
【００１５】
請求項７に記載の発明は、請求項１に記載の発明において、
前記起動要因情報は、前記画像形成装置の再起動を指示するオートリセットの指示であって、
前記制御部は、前記オートリセットの指示が入力されると、初期画面としてコピー画面を前記表示部に表示させることを特徴とする。
【００１６】
請求項８に記載の発明は、
画像形成に関する複数の機能を有し、前記機能に対応する画面を表示する表示部と、  起動時に前記表示部に表示すべき初期画面と起動要因情報とを対応付けて記憶する記憶部と、制御部と、を備える画像形成装置の起動時の初期画面を表示する方法であって、
前記制御部によって、前記画像形成装置の停止時に起動要因情報が入力されると前記画像形成装置を起動させ、当該起動要因情報と前記記憶部に記憶された起動要因情報とを比較することにより前記表示部に表示すべき初期画面を決定し、当該決定された初期画面を前記表示部に表示させる工程を有することを特徴とする。
【発明の効果】
【００１７】
本発明によれば、画像形成装置の画像形成装置の起動の要因に応じて初期画面を表示させることができる。よって、画像形成装置の起動時の操作を低減させることができるので、使いやすい画像形成装置を得ることができる。
【図面の簡単な説明】
【００１８】
【図１】本実施の形態における画像形成装置の概略断面構成を示す模式図である。
【図２】図１の画像形成装置の制御ブロック図である。
【図３】本実施の形態における起動要因の一覧である。
【図４】図２のＬＣＤに表示されるコピー画面の一例である。
【図５】図２のＬＣＤに表示されるスキャン画面の一例である。
【図６】図２のＬＣＤに表示されるジョブリスト画面の一例である。
【図７】本実施の形態における初期画面表示制御処理を示すフローチャートである。
【図８】本実施の形態における起動要因判別制御処理を示すフローチャートである。
【図９】本実施の形態における要因別初期画面表示制御処理を示すフローチャートである。
【発明を実施するための形態】
【００１９】
以下、図を参照して本発明の実施の形態を詳細に説明する。
まず、構成を説明する。
図１に、本実施の形態における画像形成装置１の概略断面構成図を示す。
【００２０】
図１に示すように、画像形成装置１は、画像読取部２０、プリント部４０等を備えて構成される。画像形成装置１は、原稿ｄから画像を読み取り、読み取った画像を用紙Ｐに画像形成して出力するコピー機能、読み取った画像のデータを電子メール等で外部装置２に送信するスキャナ機能、外部装置２等から画像データを含むページデータや各画像データの画像形成条件等を含むジョブを受信し、受信したジョブに基づいて画像を用紙Ｐ上に形成して出力するプリント機能等の複数の機能を有している。
【００２１】
画像読取部２０は、ＡＤＦ（Auto Document Feeder）や紙検知センサ２１ａ等の自動原稿送り部２１と読取部２２とを備える。自動原稿送り部２１の紙検知センサ２１ａによって、原稿トレイ２１ｂに原稿ｄが載置されたことが検知される。この検知信号は、後述する制御部１１０に送信される。
原稿トレイ２１ｂに載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取られる。ＣＣＤ２２ａによって読み取られる画像は、図形や写真等のイメージデータに限らず、文字や記号等のテキストデータ等も含まれる。
【００２２】
画像読取部２０により読み取られた画像（アナログ画像信号）は、後述する画像制御基板１００の読取処理部１４０に出力され、読取処理部１４０においてＡ／Ｄ変換され各種画像処理が施された後、プリント部４０に出力される。
【００２３】
プリント部４０は、入力されたプリントデータに基づいて、電子写真方式の画像形成処理を行うものであり、給紙部４１、搬送部４２、画像形成部４３、定着部４４、搬出部４５、搬出待機部４６を備えて構成される。
【００２４】
給紙部４１は、用紙Ｐの斤量やサイズ毎に用紙Ｐが格納される複数の給紙トレイ、搬送部に用紙Ｐを給紙する給紙手段、積載された用紙Ｐを給紙ローラによって一枚ずつ搬送部４２に向けて搬送する手差しトレイ等を備える。
【００２５】
搬送部４２は、給紙部４１から搬送された用紙Ｐを、複数の中間ローラ、レジストローラ等を経て二次転写ローラへと搬送し、用紙Ｐを画像形成部４３に搬送する。
【００２６】
画像形成部４３は、感光体ドラムの周囲に設置された帯電装置や露光装置、中間転写ベルト等によって構成され、画像データに基づく静電潜像が現像されたトナー画像を中間転写ベルト上に転写して最大４色（イエロー（Ｙ）、マゼンダ（Ｍ）、シアン（Ｃ）、ブラック（Ｋ））の画像を形成する。また、画像形成部４３は、他にも、中間転写ベルトにトナーが一次転写された後、感光体ドラムの表面の残留電荷や残留トナー等を除去する。
【００２７】
定着部４４は、熱源を有する加熱ローラや加熱ベルト等の回転定着部材と、この回転定着部材に圧接してニップ部を形成する加圧ローラ等によって構成される。定着部４４は、用紙Ｐに二次転写されたトナー像を熱定着する。
【００２８】
搬出部４５は、複数の排紙ローラ、搬出口、及び排紙面切替経路等によって構成される。搬出部４５は、トナー像が定着された用紙Ｐを排紙ローラに挟持させて搬出口から搬出待機部４６へ搬出したり、トナー像が定着された用紙Ｐを排紙ローラに挟持させて搬出待機部４６に排紙する用紙Ｐの用紙面を切り替えるための排紙面切替経路に搬送した後に搬出口から搬出待機部４６へ搬出する。
【００２９】
搬出待機部４６は、複数の排紙ローラと搬出路等から構成される。搬出待機部４６は、搬出部４５の搬出口から搬入された用紙Ｐを搬出路に搬送させた後に排紙トレイ４７に排紙させる。
【００３０】
図２に、画像形成装置１の制御ブロック図を示す。
図２に示すように、画像形成装置１は、本体部１ａとプリンタコントローラ１ｂから構成されている。画像形成装置１は、プリンタコントローラ１ｂのＬＡＮＩＦ（Local Area Network InterFace）１４を介してネットワーク３上の外部装置２やタンデムマスタ機Ｍと相互にデータ送受信可能に接続されている。タンデムマスタ機Ｍとは、画像形成装置１と略同様の機能を持ち、複数の画像形成装置の管理を行う。タンデムマスタ機Ｍから画像形成装置１に対してプリンタデータの入力があった際には、画像形成装置１は、このプリンタデータに基づいて画像形成を実行する。
【００３１】
本体部１ａは、画像読取部２０、表示部３１とタッチパネル３２等を有する操作表示部３０、プリント部４０、電源部５０、画像制御基板１００を備えて構成される。なお、図１で説明した各部と同一の構成には、同一の符号を付してその説明を省略する。
【００３２】
制御部１１０は、ＣＰＵ（Central Processing Unit）等から構成され、記憶部１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
【００３３】
また、制御部１１０は、外部装置２や電源部５０等から入力される起動要因に基づいて、画像形成装置１の起動を制御する。起動要因とは、停止した画像形成装置１を起動させるために制御部１１０に対して入力される指示のことである。通信部１４、紙検知センサ２１ａ、操作表示部３０、電源部５０は、起動要因を制御部１１０に対して入力する情報取得部Ｋとして機能する。また、本実施の形態において、画像形成装置１の停止とは、電源スイッチ５１がオフにされて画像形成装置１の各部への電源供給が停止された場合、後述するパワーセーブモード、又はオートリセットの際にいったん画像形成装置１が停止されることをいう。
【００３４】
図３に、画像形成装置１の起動要因の一例を示す。図３に示すように、停止した画像形成装置１の起動要因となるのは、「電源スイッチオン」、「パワーセーブモード解除」、「オートリセット」の３つに分けられる。
【００３５】
電源スイッチオンとは、後述する電源スイッチ５１が入力されることである（以降、要因Ａという。）。
【００３６】
パワーセーブモード解除は、外部端末２等による外部データの入力と、画像形成装置１へのユーザ入力による機械操作とに分けられる。パワーセーブモードとは、システムの停止の一態様であり、画像形成装置１を構成する各部品のうち、予め指定された部品に対する電源部５０からの電源供給を停止させることをいう。パワーセーブモードの状態で、パワーセーブモード解除の起動要因が制御部１１０に対して入力された場合、これらの部品に対する電源部５０からの電源供給を開始させる旨の指示が、電源制御部５００に対して送信される。
【００３７】
外部データの入力とは、外部端末２から通信部１４を介してプリントデータが画像形成装置１に対して入力されること（以降、要因Ｂという。）や、タンデムマスタ機Ｍから各種データが入力されること（以降、要因Ｃという。）である。
機械操作とは、画像読取部２０のＡＤＦへの原稿ｄの載置（以降、要因Ｄという。）、タッチパネル３２へのタッチ（以降、要因Ｅという。）、操作ボタン３３の押下である。操作ボタン３３の押下は、更にスキャナボタン３３ａの押下（以降、要因Ｆという。）、スキャナボタン３３ａ以外のその他のボタンの押下（以降、要因Ｇという。）である。
【００３８】
オートリセットとは、画像形成装置１をいったん停止させて再起動を行うことをいう。オートリセットは、一定時間経過毎に制御部１１０によって実行されてもよいし、タッチパネル３２からの入力により実行されるようにしてもよい。起動要因が「オートリセット」とは、これらの指示入力が制御部１１０に対して入力されることを示す（以降、要因Ｈという）。
【００３９】
図２に戻り、記憶部１２０は、画像形成に係る各種処理プログラム及びデータの他、本実施の形態に係る初期画面表示制御処理のプログラム、各種プログラムで処理されたデータ等を記憶する。また、記憶部１２０は、システム起動時に表示部３１に表示すべき初期画面を起動要因毎に記憶する。
【００４０】
ＲＡＭ１３０は、制御部１１０により実行される各種プログラム及びこれらプログラムに係るデータ、ジョブを構成する各種データ等を一時的に記憶するワークエリアとして機能する。
【００４１】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４２】
圧縮ＩＣ１５０は、入力されたデジタル画像データに圧縮処理を施してＤＲＡＭ制御ＩＣ１６０に出力する。
【００４３】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００４４】
画像メモリ１７０は、ＤＲＡＭ（Dynamic RAM）から構成される圧縮メモリ１７１とペ
ージメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００４５】
伸長ＩＣ１８０は、圧縮画像データに伸長処理を施す。
【００４６】
書込処理部１９０は、ＤＲＡＭ制御ＩＣ１６０から入力された画像データに基づいて、画像形成のためのプリントデータを生成し、プリント部４０に出力する。
【００４７】
操作表示部３０は、ＬＣＤ（Liquid Crystal Display）等の表示部３１、表示部３１を覆うように設けられたタッチパネル３２、各種指示入力を行うテンキー等の操作ボタン３３（スキャナボタン３３ａを含む）、操作表示制御部３００等から構成される。操作表示制御部３００は、制御部１１０から入力される表示信号に従って、画像形成装置１の各種機能に対応する画面を表示部３１に表示させる。また、操作表示制御部３００は、タッチパネル３２又は操作ボタン３３が押下されることにより選択指示が受け付けられ、この選択指示に基づく操作信号を制御部１１０に出力する。
【００４８】
図４に、操作表示制御部３００の制御によって表示部３１に表示されるコピー画面３１１を示す。コピー画面３１１は、画像読取部２０に原稿ｄを読み取らせ、プリント部４０に画像形成の開始を指示するための画面である。
【００４９】
図５に、操作表示制御部３００の制御によって表示部３１に表示されるスキャン画面３１２を示す。スキャン画面３１２は、画像読取部２０に原稿ｄを読み取らせ、読み取りデータを記憶部１２０に記憶したり、通信部１４を介して外部装置２に対して送信する旨の指示を入力するための画面である。
【００５０】
図６に、操作表示制御部３００の制御によって表示部３１に表示されるジョブリスト画面３１３を示す。ジョブリスト画面３１３は、画像形成装置１において現在実行中のジョブの一覧を表示させたり、次に実行すべきジョブの順番の入れ替えを指示するための画面である。
【００５１】
コピー画面３１１、スキャン画面３１２、又はジョブリスト画面３１３の表示切替はタッチパネル３２からの入力によって行うことができる。他にも、ジョブ保存機能、ジョブ読出し画面、機械状態を表示させるための画面（いずれも図示せず）も同様にタッチパネル３２からの入力によって表示の切り替えを行うことができる。
【００５２】
プリント部４０は、図１に示した給紙部４１、搬送部４２、画像形成部４３、定着部４４、搬出部４５、搬出待機部４６等のプリント出力に係る各部やプリント制御部４００を備えて構成される。プリント制御部４００は、ＣＰＵ、ＲＯＭ、ＲＡＭ等により構成されており、制御部１１０からの指示に従って各部の動作を制御し、書込処理部１９０から入力されたプリントデータに基づいて用紙Ｐを搬送して画像形成を行わせ排紙トレイ４７に排紙させる。
【００５３】
電源部５０は、電源スイッチ５１、電源制御部５００等から構成され、画像形成装置１を構成する各部に対して外部からの電源を供給する。電源スイッチ５１は、電源のオン／オフを指示するための主電源スイッチ及び副電源スイッチ等から構成され、電源制御部５００に対してこれらの指示を入力する。電源制御部５００は、電源スイッチ５１や制御部１１０から電源供給の指示が入力された場合、画像形成装置１を構成する各部に対して外部からの電源を供給するよう制御を行う。
【００５４】
次に、プリンタコントローラ１ｂの各部について説明する。プリンタコントローラ１ｂは、画像形成装置１をネットワークプリンタとして使用する場合に、ネットワーク３に接続された外部装置２から画像形成装置１に対して送信されたデータの管理及び制御を行うものであり、外部装置２からプリント対象のデータを受信し、このデータをジョブとして本体部１ａへ送信する。
【００５５】
プリンタコントローラ１ｂは、コントローラ制御部１１、ＤＲＡＭ制御ＩＣ１２、画像メモリ１３、通信部１４から構成される。
【００５６】
コントローラ制御部１１は、プリンタコントローラ１ｂ各部の動作を統括的に制御し、通信部１４を介して、外部装置２から入力されるデータをジョブとして本体部１ａへ送信する。
【００５７】
ＤＲＡＭ制御ＩＣ１２は、通信部１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００５８】
画像メモリ１３は、ＤＲＡＭから構成され、入力された出力データを一時的に格納する。
【００５９】
通信部１４は、ＮＩＣ（Network Interface Card）やモデム等のＬＡＮ等のネットワーク３に接続するための通信インターフェイスであり、外部装置２やタンデムマスタ機Ｍからデータを受信する。受信されたデータは、ＤＲＡＭ制御ＩＣ１２に出力される。
【００６０】
次に、本実施の形態の動作を説明する。
図７に、画像形成装置１の停止時において起動要因が制御部１１０に対して入力された際に、制御部１１０によって実行される初期画面表示制御処理のフローチャートを示す。初期画面表示制御処理は、制御部１１０と記憶部１２０に記憶されたプログラムとの協働により実行される。
【００６１】
まず、画像形成装置１が起動される（ステップＳ１）。次いで、起動要因判別制御処理が実行され（ステップＳ２）、起動要因が判別される。この判別された起動要因に基づいて、要因別初期画面表示制御処理が実行される（ステップＳ３）。
【００６２】
図８に、ステップＳ２において実行される起動要因判別制御処理のフローチャートを示す。起動要因判別制御処理は、制御部１１０と記憶部１２０に記憶されたプログラムとの協働により実行される。
【００６３】
まず、起動要因が電源スイッチ５１の主電源又は副電源のスイッチがオンにされたことによる指示であるか否かが判断される（ステップＳ２１）。主電源又は副電源のスイッチがオンにされたことによる指示であると判断されない場合（ステップＳ２１；ＮＯ）、外部からのデータ入力による指示であるか否かが判断される（ステップＳ２２）。
【００６４】
外部からのデータ入力による指示であると判断されない場合（ステップＳ２２；ＮＯ）、スキャナボタン３３ａからの操作入力による指示であるか否かが判断される（ステップＳ２３）。
【００６５】
主電源又は副電源のスイッチがオンにされたことによる指示であると判断された場合（ステップＳ２１；ＹＥＳ）、又はスキャナボタン３３ａからの操作入力による指示であると判断されない場合（ステップＳ２３；ＮＯ）、起動要因が要因Ａ、Ｄ、Ｅ、Ｇ、又はＨであることがＲＡＭ１３０に記憶される（ステップＳ２４）。
【００６６】
スキャナボタン３３ａからの操作入力による指示であると判断された場合（ステップＳ２３；ＹＥＳ）、起動要因が要因ＦであることがＲＡＭ１３０に記憶される（ステップＳ２５）。
【００６７】
外部からのデータ入力による指示であると判断された場合（ステップＳ２２；ＹＥＳ）、この外部からのデータ入力が外部機器２からのプリンタデータの入力であるか否かが判断される（ステップＳ２６）。
【００６８】
プリンタデータの入力であると判断された場合（ステップＳ２６；ＹＥＳ）、起動要因が要因ＢであることがＲＡＭ１３０に記憶される（ステップＳ２７）。
【００６９】
プリンタデータの入力であると判断されない場合（ステップＳ２６；ＮＯ）、起動要因が要因ＣであることがＲＡＭ１３０に記憶される（ステップＳ２８）。
このように、ステップＳ２４、ステップＳ２５、ステップＳ２７、又はステップＳ２８においてＲＡＭ１３０に起動要因が記憶され、起動要因判別制御処理は終了する。
【００７０】
図９に、ステップＳ３において実行される要因別初期画面表示制御処理のフローチャートを示す。要因別初期画面表示制御処理は、制御部１１０と記憶部１２０に記憶されたプログラムとの協働により実行される。
【００７１】
まず、ＲＡＭ１３０に記憶された起動要因が何であるかが判断される（ステップＳ３１）。起動要因が、要因Ａ、Ｄ、Ｅ、Ｇ、又はＨである場合（ステップＳ３１；ＡｏｒＤｏｒＥｏｒＧｏｒＨ）、記憶部１２０に記憶された起動要因毎の初期画面の設定が参照され、初期画面がコピー画面３１１であるか否かが判断される（ステップＳ３２）。
【００７２】
初期画面の設定がコピー画面３１１であると判断された場合（ステップＳ３２；ＹＥＳ）、表示部３１にコピー画面３１１を表示させるよう操作表示制御部３００に対して指示が送信される（ステップＳ３３）。
【００７３】
初期画面の設定がコピー画面３１１であると判断されない場合（ステップＳ３２；ＮＯ）、表示部３１にスキャナ画面３１２を表示させるよう操作表示制御部３００に対して指示が送信される（ステップＳ３４）。
【００７４】
起動要因が要因Ｂである場合（ステップＳ３１；Ｂ）、記憶部１２０に記憶された起動要因毎の初期画面の設定が参照され、表示部３１にジョブリスト画面３１３を表示させるよう操作表示制御部３００に対して指示が送信される（ステップＳ３５）。
【００７５】
起動要因が要因Ｃである場合（ステップＳ３１；Ｃ）、記憶部１２０に記憶された起動要因毎の初期画面の設定が参照され、初期画面が表示部３１にコピー画面３１１を表示させるよう操作表示制御部３００に対して指示が送信される（ステップＳ３６）。
【００７６】
起動要因が要因Ｆである場合（ステップＳ３１；Ｆ）、記憶部１２０に記憶された起動要因毎の初期画面の設定が参照され、初期画面が表示部３１にスキャナ画面３１２を表示させるよう操作表示制御部３００に対して指示が送信される（ステップＳ３７）。
【００７７】
以上のように、本実施の形態における画像形成装置１によれば、初期画面表示制御処理によって、画像形成装置１の起動要因に応じた初期画面を決定し、画像形成装置１の起動時には、この初期画面を表示部３１に表示させることができる。したがって、画像形成装置１のユーザは、この初期画面から初期操作入力を行うことができ、初期操作性が向上する。
【００７８】
また、起動要因が要因Ａ、Ｄ、Ｅ、Ｇ、Ｈである場合、初期画面設定に基づいてコピー画面又はスキャナ基本画面を表示させることができ、初期操作性が向上する。同様に、起動要因が要因Ｂ、要因Ｃ、要因Ｆの場合はそれぞれジョブリスト画面、コピー画面、スキャナ基本画面を表示させることができ、初期操作性が向上する。
【００７９】
なお、上述した本実施の形態における記述は、本発明に係る好適な画像形成装置の一例であり、これに限定されるものではない。
例えば、本実施の形態においては、起動要因は要因Ａ〜要因Ｈとしたが、画像形成装置１の起動を指示するための予め定められた起動要因であればよく、これに限られない。例えば、コピー部数を入力するためのテンキーが入力された場合に、この入力を起動要因としてもよい。
【００８０】
また、起動要因に対応する初期画面は、記憶部１２０に記憶され、予め定められた画面であればよく、本実施の形態における例に限られない。例えば、上記のようにテンキーの入力による起動要因で画像形成装置１が起動した場合には、コピー画面であってもスキャナ画面であってもよい。他の起動要因についても同様であり、画像形成装置１のユーザによって任意に設定されていてよい。
【００８１】
また、本実施の形態における記憶部１２０以外のその他のコンピュータ読み取り可能な媒体として、ＳＤ（Secure Digital）カードやＵＳＢ（Universal Serial Bus）メモリのようなフラッシュメモリ等の不揮発性メモリ、ＣＤ−ＲＯＭ等の可搬型記録媒体を適用することが可能である。また、本発明に係るプログラムのデータや音声データ等の各種データを、搬送波（キャリアウェーブ）に重畳させて通信回線を介して提供することも可能である。
【００８２】
その他、画像形成装置１を構成する各装置の細部構成及び細部動作に関しても、本発明の趣旨を逸脱することのない範囲で適宜変更可能である。
【符号の説明】
【００８３】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  通信部
２０  画像読取部
２１  自動原稿送り部
２１ａ  紙検知センサ
２１ｂ  原稿トレイ
２２  読取部
２２ａ  ＣＣＤ
２００  画像読取制御部
３０  操作表示部
３１  表示部
３１１  コピー画面
３１２  スキャン画面
３１３  ジョブリスト画面
３２  タッチパネル
３３  操作ボタン
３３ａ  スキャナボタン
３００  操作表示制御部
４０  プリント部
４１  給紙部
４２  搬送部
４３  画像形成部
４４  定着部
４５  搬出部
４６  搬出待機部
４７  排紙トレイ
４００  プリント制御部
５０  電源部
５１  電源スイッチ
５００  電源制御部
１００  画像制御基板
１１０  制御部
１２０  記憶部
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
Ｋ  情報取得部
Ｍ  タンデムマスタ機
【図１】
2010157967.tif 000003
【図２】
2010157967.tif 000004
【図３】
2010157967.tif 000005
【図４】
2010157967.tif 000006
【図５】
2010157967.tif 000007
【図６】
2010157967.tif 000008
【図７】
2010157967.tif 000009
【図８】
2010157967.tif 000010
【図９】
2010157967.tif 000011